(57)【要約】【課題】取付ねじ等の強度に頼らず、確実に落下の防止を図ることができる照明器具を提供する。【解決手段】部品取付板３０の短手方向両端部に、取付金具４０側に突出するとともに長手方向に沿った係止孔３３ａを有する突起部３３を設け、取付金具４０の短手方向両端部に、突起部３３の係止孔３３ａに係止される係止部４４を設けた。そして、係止部４４を係止孔３３ａに挿入して、部品取付板３０と取付金具４０を結合した。これにより、部品取付板３０は、取付金具４０に係止されるので、ボルト３５の強度に頼ることなく、確実に落下防止を図ることができる。【選択図】図１
2013222500.tif 000002
【特許請求の範囲】
【請求項１】
上面に開口部を有する鍔部を備え内部に灯具本体を収容するセードと、
前記開口部の内径よりも大きな長手方向寸法を有し前記開口部から前記鍔部の内面に着脱可能な部品取付板と、
前記部品取付板を被取付部に取り付けるための取付金具と、
前記部品取付板と前記取付金具とを接続するボルトと、を有し、
前記部品取付板の短手方向両端部に、前記取付金具側に突出するとともに前記長手方向に沿った係止孔を有する突起部を設け、
前記取付金具の短手方向両端部に、前記突起部の前記係止孔に係止される係止部を設けた照明器具。
【請求項２】
請求項１に記載の照明器具において、
一方の前記係止部の突出量を、前記取付金具を他方側へ移動させた際に前記係止孔に挿入可能な長さとし、
他方の前記係止部の突出量を、前記取付金具を一方側へ移動させた際に前記係止孔から脱落しない長さとした照明器具。
【請求項３】
請求項１または請求項２に記載の照明器具において、
前記部品取付板の短手方向両端に、補強リブを前記取付金具と反対側に折曲げ形成し、前記補強リブが前記ボルトの頭部の側面に当接する照明器具。
【発明の詳細な説明】
【技術分野】
【０００１】
本発明は、例えば高所の天井等に取り付けて下方を照らす照明器具に関するものである。
【背景技術】
【０００２】
従来より、高所の天井等に取り付けて、下方を照明する照明器具が知られている（例えば、特許文献１参照）。
図８に示すように、特許文献１に記載の照明器具１００は、天井面１０１に取り付けて、下方を照明する。天井面１０１には、取付金具１０２が取り付けられている。
器具本体１０３は、器具本体１０３に設けられているダルマ孔（図示省略）の大径部を取付金具１０２の取付ねじ（図示省略）に嵌合させ、器具本体１０３を回転させて取り付ける。
【０００３】
そして、中央カバー１０４に設けた凸設部１０５を、器具本体１０３に設けられているダルマ孔の大径部に挿入して、ビス（図示省略）で固定する。最後に、投光カバー１０６を器具本体１０３に取り付ける。
【先行技術文献】
【特許文献】
【０００４】
【特許文献１】特開２０００−１２３６３０号公報（第１図）
【発明の概要】
【発明が解決しようとする課題】
【０００５】
しかしながら、前述したような従来の照明器具１００においては、器具本体１０３の落下を防止するために、取付金具１０２に取り付けられている取付ねじの本数を増やしたり、サイズを大きくしたりするのが一般的である。
このため、落下防止を取付ねじ等の強度に頼るところが大きく、改善の余地があった。
【０００６】
本発明は、従来の問題を解決するためになされたもので、取付ねじ等の強度に頼らず、確実に落下の防止を図ることができる照明器具を提供することを目的とする。
【課題を解決するための手段】
【０００７】
本発明の照明器具は、上面に開口部を有する鍔部を備え内部に灯具本体を収容するセードと、前記開口部の内径よりも大きな長手方向寸法を有し前記開口部から前記鍔部の内面に着脱可能な部品取付板と、前記部品取付板を被取付部に取り付けるための取付金具と、  前記部品取付板と前記取付金具とを接続するボルトと、を有し、前記部品取付板の短手方向両端部に、前記取付金具側に突出するとともに前記長手方向に沿った係止孔を有する突起部を設け、前記取付金具の短手方向両端部に、前記突起部の前記係止孔に係止される係止部を設けたものである。
【０００８】
また、本発明の照明器具は、一方の前記係止部の突出量を、前記取付金具を他方側へ移動させた際に前記係止孔に挿入可能な長さとし、他方の前記係止部の突出量を、前記取付金具を一方側へ移動させた際に前記係止孔から脱落しない長さとしたものである。
【０００９】
さらに、本発明の照明器具は、前記部品取付板の短手方向両端に、補強リブを前記取付金具と反対側に折曲げ形成し、前記補強リブが前記ボルトの頭部の側面に当接するものである。
【発明の効果】
【００１０】
本発明は、部品取付板の短手方向両端部に、取付金具側に突出するとともに長手方向に沿った係止孔を有する突起部を設け、取付金具の短手方向両端部に、突起部の係止孔に係止される係止部を設けた。このため、部品取付板に設けられた一対の突起部は、取付金具に設けられた一対の係止部により係止されるので、ボルトの強度に頼ることなく、確実に落下防止を図ることができるという効果を有する照明器具を提供できる。
【図面の簡単な説明】
【００１１】
【図１】本発明に係る実施形態の照明器具を上方から見た斜視図
【図２】（Ａ）は部品取付板をセードに取り付けた状態を示す上方から見た斜視図であり、（Ｂ）は部品取付板をセードに取り付ける状態を示す斜視図であり、（Ｃ）は部品取付板をセードに取り付けた状態の断面図
【図３】（Ａ）は部品取付板の平面図であり、（Ｂ）は（Ａ）中Ｂ方向から見た側面図
【図４】（Ａ）は取付金具の斜視図であり、（Ｂ）は（Ａ）中Ｂ−Ｂ位置の断面図
【図５】（Ａ）ないし（Ｃ）は部品取付板に取付金具を取り付ける作業を示す工程図
【図６】（Ａ）は部品取付板に取付金具を取り付けた状態の斜視図であり、（Ｂ）は（Ａ）中Ｂ−Ｂ位置の断面図であり、（Ｃ）は（Ａ）中Ｃ−Ｃ位置の断面図
【図７】（Ａ）部品取付板に取付金具をボルトで締結した状態を示す斜視図であり、（Ｂ）は（Ａ）中Ｂ−Ｂ位置の断面図
【図８】従来の照明器具の断面図
【発明を実施するための形態】
【００１２】
以下、本発明に係る実施形態の照明器具について、図面を用いて説明する。
図１に示すように、本発明に係る実施形態の照明器具１０は、内部に灯具本体（図示省略）を収容する例えば円柱形状のセード２０を有する。セード２０の上面には、リング状の鍔部２１が設けられており、鍔部２１の内側には開口部２２を有する。
鍔部２１の下側には部品取付板３０が取り付けられ、部品取付板３０には被取付部に取り付けるための取付金具４０が取り付けられる。
従って、取付金具４０を被取付部である天井面（図示省略）等に取り付けることにより、照明器具１０が天井面に取り付けられる。
【００１３】
図２（Ｂ）に示すように、部品取付板３０の長手方向寸法Ｌは、セード２０の内径Ｄ１より小さく、開口部２２の内径Ｄ２よりも大きい。すなわち、Ｄ１＞Ｌ＞Ｄ２である。また、部品取付板３０の四隅は角が切断されて（テーパ部３１）、開口部２２からの挿入を可能にしている。
【００１４】
図２（Ａ）および（Ｃ）に示すように、開口部２２から挿入された部品取付板３０は、鍔部２１の下面２１ａに当接し、位置決めねじ３２によって位置決めしている。この位置決めねじ３２は、部品取付板３０が下方へ落下したり、開口部２２から脱落しないように位置決めするものであり、部品取付板３０によってセード２０を支持する際の強度部材ではない。
【００１５】
図２（Ｂ）に示すように、部品取付板３０の短手方向両端部には、取付金具４０側（図２（Ｂ）において上側）に突出する突起部３３が設けられている。突起部３３には、部品取付板３０の長手方向に沿って、係止孔３３ａが設けられている。
また、部品取付板３０の短手方向両端部には、取付金具４０と反対側（図２（Ｂ）において下側）に突出する補強リブ３４が設けられている。
【００１６】
図３（Ａ）および（Ｂ）に示すように、突起部３３および補強リブ３４は、同時に折曲げ形成することができる。すなわち、突起部３３に対応する切れ目３３ｂを設けておき、長手方向に平行な折れ目３４ａに沿って、突起部３３を曲げ上げる（図３（Ｂ）中矢印Ａ）と共に補強リブ３４を曲げ下ろす（図３（Ｂ）中矢印Ｂ）ことにより、形成することができる（図６（Ｃ）参照）。
【００１７】
図４（Ａ）に示すように、取付金具４０は、矩形板状の本体４１の短手方向両側に、下方に向かう側壁４２、４２が折曲げ形成されている。長手方向中央部の側壁４２の下端部は、外側に向かって取付リブ４３が折曲げ形成されている。取付リブ４３の長手方向中央には、部品取付板３０の突起部３３の係止孔３３ａに挿嵌される係止部４４が、さらに外側に突出して設けられている。取付リブ４３と係止部４４は、同一面にある。
図４（Ｂ）に示すように、一方（図４（Ｂ）において右側）の係止部４４ａの突出量をＬａ、他方一方（図４（Ｂ）において右側）の係止部４４ｂの突出量をＬｂとする。なお、係止部４４ａおよび係止部４４ｂを総称する場合には、「係止部４４」で示す。
【００１８】
図５（Ａ）に示すように、部品取付板３０に取付金具４０を取り付ける際には、まず、突出量が大きな他方の係止部４４ｂを、部品取付板３０の突起部３３の係止孔３３ａに挿入する。
図５（Ｂ）に示すように、他方の係止部４４ｂ側の取付リブ４３が突起部３３に当接して、それ以上係止部４４ｂを挿入できない状態で、一方の係止部４４ａが突起部３３の内側に位置するように、突出量Ｌａが設定されている。これにより、一方の係止部４４ａおよび他方の係止部４４ｂを、係止孔３３ａに挿入できる。
【００１９】
図５（Ｃ）に示すように、一方の係止部４４ａおよび他方の係止部４４ｂを係止孔３３ａに挿入し、取付金具４０を一方側（図５（Ｃ）において右側）に移動させる。このとき、取付リブ４３が突起部３３に当接した際に、他方の係止部４４ｂが係止孔３３ａから脱落しないように突出量Ｌｂが設定されている。
【００２０】
図６（Ａ）および（Ｂ）に示すように、係止部４４を係止孔３３ａに挿嵌して取り付けた部品取付板３０および取付金具４０は、スライド防止ねじ４５によって相対的移動を防止する。
これにより、係止部４４は係止孔３３ａから脱落しないので、部品取付板３０と取付金具４０は、確実に一体化される。
【００２１】
図７（Ａ）および（Ｂ）に示すように、一体化された部品取付板３０と取付金具４０とは、ボルト３５およびナット３６により締結される。部品取付板３０の下方から上向きに挿入されたボルト３５は、頭部３５ａの側面３５ｂが、補強リブ３４に当接して、回転が阻止される。部品取付板３０および取付金具４０の取付リブ４３を上向きに貫通したボルト３５には、適宜、緩み防止用のスプリングワッシャ３７等を介してナット３６が締め付けられる。
【００２２】
以上、説明した本発明に係る実施形態の照明器具１０によれば、部品取付板３０の短手方向両端部に、取付金具４０側に突出するとともに長手方向に沿った係止孔３３ａを有する突起部３３を設けた。そして、取付金具４０の短手方向両端部に、突起部３３の係止孔３３ａに係止される係止部４４を設けて、突起部３３を係止孔３３ａに挿嵌した。
このため、部品取付板３０に設けられた一対の突起部３３は、取付金具４０に設けられた一対の係止部４４により係止されるので、ボルト３５の強度に頼ることなく、確実に落下防止を図ることができる。
【００２３】
取付金具４０の一方の係止部４４ａの突出量Ｌａを、取付金具４０を他方側へ移動させた際に係止孔３３ａに挿入可能な長さとし、他方の係止部４４ｂの突出量Ｌｂを、取付金具４０を一方側へ移動させた際に係止孔３３ａから脱落しない長さとした。
このため、係止部４４が突起部３３の係止孔３３ａから脱落するのを防止できる。
【００２４】
部品取付板３０の短手方向両端に、補強リブを取付金具４０と反対側に折曲げ形成したので、部品取付板３０の強度を増すことができる。
また、補強リブはボルト３５の頭部３５ａの側面３５ｂに当接するので、ボルト３５により部品取付板３０と取付金具４０とを締結する際に、ボルト３５が回転するのを防止して、ボルト３５の締結を容易にすることができる。
【００２５】
なお、本発明の照明器具は、前述した実施形態に限定されるものでなく、適宜な変形、改良等が可能である。
【符号の説明】
【００２６】
１０  照明器具
２０  セード
２１  鍔部
２２  開口部
３０  部品取付板
３３  突起部
３３ａ  係止孔
３４  補強リブ
３５  ボルト
３５ａ  頭部
３５ｂ  側面
４０  取付金具
４４  係止部
４４ａ  一方の係止部
４４ｂ  他方の係止部
Ｌａ  一方の係止部の突出量
Ｌｂ  他方の係止部の突出量
【図１】
2013222500.tif 000003
【図２】
2013222500.tif 000004
【図３】
2013222500.tif 000005
【図４】
2013222500.tif 000006
【図５】
2013222500.tif 000007
【図６】
2013222500.tif 000008
【図７】
2013222500.tif 000009
【図８】
2013222500.tif 000010